【手続補正書】
【提出日】平成17年10月31日(2005.10.31)
【手続補正１】
【補正対象書類名】明細書
【補正対象項目名】請求項５
【補正方法】変更
【補正の内容】
【請求項５】
ΣＮｉ（Ｎ１＋Ｎ２＋・・・＋ＮＭ、Ｍは２以上の整数、かつＮｉのそれぞれは１以上の整数）の光源と、前記ΣＮｉ個の光源から出射された光を収束光または平行光に変換する複数の有限焦点レンズもしくはコリメータレンズと、前記複数の有限焦点レンズおよびコリメータレンズにより収束光または平行光に変換された光を、前記有限焦点レンズまたはコリメータレンズにより収束光または平行光に変換された光を、光が進行する方向と直交する面における第１の方向に関してさらに収束させるために前記第１の方向にのみ正のパワーが与えられたＭ組の光学部材と、を含む第１の光学手段と、
回転可能に形成された反射面を有し、前記第１の光学手段で少なくとも前記第１の方向に関して収束性が与えられ、もしくは平行光に変換された光を前記第１の方向および前記光が進行する方向のそれぞれと直交する方向に偏向する偏向手段と、
この偏向手段により偏向されたΣＮｉ本の光を前記偏向手段により偏向された光を所定の距離の位置で前記反射面の回転角と前記所定の距離の位置で前記第１の方向と直交する第２の方向の距離を比例させるとともに、前記偏向手段の前記反射面と前記回転軸とのなす角の偏差の影響を補正しながら、前記所定の距離の位置に結像する機能を持つレンズを含む第２の光学手段と、
を有し、
前記Ｍ群の光のそれぞれが、前記偏向手段の前記反射面と前記第２の光学手段のレンズのうち最も偏向手段側に位置するレンズとの間で、互いに交差するよう構成されていることを特徴とする光学装置。
【手続補正２】
【補正対象書類名】明細書
【補正対象項目名】請求項６
【補正方法】変更
【補正の内容】
【請求項６】
ΣＮｉ（Ｎ１＋Ｎ２＋・・・＋ＮＭ、Ｍは２以上の整数、かつＮｉのそれぞれは１以上の整数）の光源と、前記ΣＮｉ個の光源から出射された光を収束光または平行光に変換する複数の有限焦点レンズもしくはコリメータレンズのいづれかと、前記複数の有限焦点レンズおよびコリメータレンズのいづれかにより収束光または平行光に変換された光を、光が進行する方向と直交する面における第１の方向に関してさらに収束させるために前記第１の方向にのみ正のパワーが与えられたＭ組の光学部材と、を含む第１の光学手段と、
回転可能に形成された反射面を有し、前記第１の光学手段で少なくとも前記第１の方向に収束性が与えられた光を前記第１の方向および前記光が進行する方向のそれぞれと直交する方向に偏向する偏向手段と、
この偏向手段により偏向されたΣＮｉ本のビームを、前記偏向手段により偏向された光を所定の距離の位置で前記反射面の回転角と前記所定の距離の位置で前記第１の方向と直交する第２の方向の距離を比例させるとともに、前記偏向手段の前記反射面と前記回転軸とのなす角の偏差の影響を補正するように前記所定の距離の位置に結像するレンズを含む第２の光学手段と、
を有し、
前記Ｍ群の光の主光線は、前記第２の光学手段から前記所定の距離の位置に向かう間に、前記第１の方向の間隔が相互に近接されることを特徴とする光学装置。
【手続補正３】
【補正対象書類名】明細書
【補正対象項目名】請求項７
【補正方法】変更
【補正の内容】
【請求項７】
ΣＮｉ（Ｎ１＋Ｎ２＋・・・＋ＮＭ、Ｍは１以上の整数、かつＮｉのそれぞれは１以上の整数）の光源と、前記ΣＮｉ個の光源から出射された光を収束光または平行光に変換する複数の有限焦点レンズもしくはコリメータレンズのいづれかと、前記複数の有限焦点レンズおよびコリメータレンズのいづれかにより収束光または平行光に変換された光を、光が進行する方向と直交する面における第１の方向に関してさらに収束させるために前記第１の方向にのみ正のパワーが与えられたＭ組の光学部材と、を含む第１の光学手段と、
回転可能に形成された反射面を有し、前記第１の光学手段で少なくとも前記第１の方向に収束性が与えられた光を前記第１の方向および前記光が進行する方向のそれぞれと直交する方向に偏向する偏向手段と、
３枚のレンズで構成され、前記偏向手段に最も近接して配置されるレンズが、回転対称軸を含まない面を含み、偏向手段により偏向されたΣＮｉ本のビームを、前記偏向手段により偏向された光を所定の距離の位置で前記反射面の回転角と前記所定の距離の位置で前記第１の方向と直交する第２の方向の距離を比例させるとともに、前記偏向手段の前記反射面と前記回転軸とのなす角の偏差の影響を補正するように前記所定の距離の位置に結像するレンズを含む第２の光学手段と、
を有することを特徴とする光学装置。
【手続補正４】
【補正対象書類名】明細書
【補正対象項目名】００１３
【補正方法】変更
【補正の内容】
【００１３】
さらにまた、この発明は、ΣＮｉ（Ｎ１＋Ｎ２＋・・・＋ＮＭ、Ｍは２以上の整数、かつＮｉのそれぞれは１以上の整数）の光源と、前記ΣＮｉ個の光源から出射された光を収束光または平行光に変換する複数の有限焦点レンズもしくはコリメータレンズと、前記複数の有限焦点レンズおよびコリメータレンズにより収束光または平行光に変換された光を、前記有限焦点レンズまたはコリメータレンズにより収束光または平行光に変換された光を、光が進行する方向と直交する面における第１の方向に関してさらに収束させるために前記第１の方向にのみ正のパワーが与えられたＭ組の光学部材と、を含む第１の光学手段と、回転可能に形成された反射面を有し、前記第１の光学手段で少なくとも前記第１の方向に関して収束性が与えられ、もしくは平行光に変換された光を前記第１の方向および前記光が進行する方向のそれぞれと直交する方向に偏向する偏向手段と、この偏向手段により偏向されたΣＮｉ本の光を前記偏向手段により偏向された光を所定の距離の位置で前記反射面の回転角と前記所定の距離の位置で前記第１の方向と直交する第２の方向の距離を比例させるとともに、前記偏向手段の前記反射面と前記回転軸とのなす角の偏差の影響を補正しながら、前記所定の距離の位置に結像する機能を持つレンズを含む第２の光学手段と、を有し、前記Ｍ群の光のそれぞれが、前記偏向手段の前記反射面と前記第２の光学手段のレンズのうち最も偏向手段側に位置するレンズとの間で、互いに交差するよう構成されていることを特徴とする光学装置を提供するものである。
【手続補正５】
【補正対象書類名】明細書
【補正対象項目名】００１４
【補正方法】変更
【補正の内容】
【００１４】
またさらに、この発明は、ΣＮｉ（Ｎ１＋Ｎ２＋・・・＋ＮＭ、Ｍは２以上の整数、かつＮｉのそれぞれは１以上の整数）の光源と、前記ΣＮｉ個の光源から出射された光を収束光または平行光に変換する複数の有限焦点レンズもしくはコリメータレンズのいづれかと、前記複数の有限焦点レンズおよびコリメータレンズのいづれかにより収束光または平行光に変換された光を、光が進行する方向と直交する面における第１の方向に関してさらに収束させるために前記第１の方向にのみ正のパワーが与えられたＭ組の光学部材と、を含む第１の光学手段と、回転可能に形成された反射面を有し、前記第１の光学手段で少なくとも前記第１の方向に収束性が与えられた光を前記第１の方向および前記光が進行する方向のそれぞれと直交する方向に偏向する偏向手段と、この偏向手段により偏向されたΣＮｉ本のビームを、前記偏向手段により偏向された光を所定の距離の位置で前記反射面の回転角と前記所定の距離の位置で前記第１の方向と直交する第２の方向の距離を比例させるとともに、前記偏向手段の前記反射面と前記回転軸とのなす角の偏差の影響を補正するように前記所定の距離の位置に結像するレンズを含む第２の光学手段と、を有し、前記Ｍ群の光の主光線は、前記第２の光学手段から前記所定の距離の位置に向かう間に、前記第１の方向の間隔が相互に近接されることを特徴とする光学装置を提供するものである。
【手続補正６】
【補正対象書類名】明細書
【補正対象項目名】００１５
【補正方法】変更
【補正の内容】
【００１５】
さらにまた、この発明は、ΣＮｉ（Ｎ１＋Ｎ２＋・・・＋ＮＭ、Ｍは１以上の整数、かつＮｉのそれぞれは１以上の整数）の光源と、前記ΣＮｉ個の光源から出射された光を収束光または平行光に変換する複数の有限焦点レンズもしくはコリメータレンズのいづれかと、前記複数の有限焦点レンズおよびコリメータレンズのいづれかにより収束光または平行光に変換された光を、光が進行する方向と直交する面における第１の方向に関してさらに収束させるために前記第１の方向にのみ正のパワーが与えられたＭ組の光学部材と、を含む第１の光学手段と、回転可能に形成された反射面を有し、前記第１の光学手段で少なくとも前記第１の方向に収束性が与えられた光を前記第１の方向および前記光が進行する方向のそれぞれと直交する方向に偏向する偏向手段と、３枚のレンズで構成され、前記偏向手段に最も近接して配置されるレンズが、回転対称軸を含まない面を含み、偏向手段により偏向されたΣＮｉ本のビームを、前記偏向手段により偏向された光を所定の距離の位置で前記反射面の回転角と前記所定の距離の位置で前記第１の方向と直交する第２の方向の距離を比例させるとともに、前記偏向手段の前記反射面と前記回転軸とのなす角の偏差の影響を補正するように前記所定の距離の位置に結像するレンズを含む第２の光学手段と、を有することを特徴とする光学装置を提供するものである。
【手続補正７】
【補正対象書類名】明細書
【補正対象項目名】００５９
【補正方法】変更
【補正の内容】
【００５９】
詳細には、第１ないし第６の各レンズ面を、    
４  ：回転対称軸を持たない自由曲面    
ｃｖ：主走査、副走査方向断面形状が共に円弧の面    
により入射面および出射面のそれぞれが定義    
されているレンズ（「ｃｖ」で２面） 
（ｆは、レンズ面の最適化を示す識別子）    
のそれぞれに分類し、図４（ａ）に、レンズ面構成として示すように、第１ないし第６のレンズ面の順に、    
４４ｃｖｃｖ        ・・・  （１１）    
ｃｖｃｖ４４        ・・・  （１２）    
ｃｖ４４ｃｖ        ・・・  （１３）    
ｃｖｃｖｃｖ        ・・・  （１４）    
と条件を変化させながら、回転対称軸を持たない自由曲面を配列すべきレンズ位置（レンズ面番号）を最適化すると、（１１）で示される第１の結像レンズ２３の各レンズ面（第１のレンズ面および第２のレンズ面）のそれぞれを自由曲面とする例において、評価関数の数値の小さな条件が存在することが認められる。なお、図４（ａ）に示されるように、自由曲面を配列すべきレンズ面が第１レンズ面および第２レンズ面に定義されることは、サイズが小さく、研磨による加工が適さない第１の結像レンズ２３の加工、すなわち成形加工に好都合であり、かつ成形加工に要求されるサイクルタイムを短縮できる利点が生じる。